(57)【要約】　　　（修正有）【課題】木材や竹材、そして輪ゴムなどの使用で、簡便且つ安価に製作し、遠距離までも適確に飛ばすことのできる連発式ゴム銃の提供。【解決手段】銃身部２、フレーム部３、グリップ部、引き金部１１からなる連発式輪ゴム銃１であって、フレーム部は銃身部をグリップ部に対し直線状に連結させると共に、その長さ方向の一定範囲をスリット溝に形成し、該溝内を引き金部の上端が後退移動させられるものとなすほか、上縁部の適当間隔に輪ゴム係止用の切り込み溝９の複数箇を並設させたものとなしたことを特徴とする。【選択図】　　図１
0003100307.tif 000002
【実用新案登録請求の範囲】
【請求項１】
銃身部、フレーム部、グリップ部、引き金部からなる連発式輪ゴム銃であって、フレーム部は銃身部をグリップ部に対し直線状に連結させると共に、その長さ方向の一定範囲をスリット溝に形成し、該溝内を引き金部の上端が後退移動させられるものとなすほか、上縁部の適当間隔に輪ゴム係止用の切り込み溝の複数箇を並設させたものとなしたことを特徴とする連発式輪ゴム銃。
【請求項２】
引き金部は細巾板体の上端を、その後退移動側が低くなる傾斜面に形成されるものとなしたことを特徴とする請求項１記載の連発式輪ゴム銃。
【請求項３】
木材や竹材を使用すると共に切り込み溝は数箇を並設するほか、引き金部の後退移動軌跡を弧状に形成させるものとなしたことを特徴とする請求項１又は２記載の連発式輪ゴム銃。
【請求項４】
並設される切り込み溝深さは、後退移動側へ順次少し深く形成されるものとなしたことを特徴とする請求項３記載の連発式輪ゴム銃。
【考案の詳細な説明】
【技術分野】
【０００１】
　本考案は、連発式輪ゴム銃に関するものである。
【背景技術】
【０００２】
　従来より、割り箸などの木製で銃の形を作り輪ゴムを掛けて打つことが出来る輪ゴム銃があり、さらには実用新案登録第３００６４１１号公報に示されているように連発式の輪ゴム銃も考えられている。
【特許文献１】実用新案登録第３００６４１１号公報
【考案の開示】
【考案が解決しようとする課題】
【０００３】
　しかしながら、上記例では輪ゴム装着部において階段状に刻みを作り、蹴り上げ部分を上から下に向かって、角度で二度から五度ぐらいずつ鋭角に形成させ、また引金の下部と銃身に中間を二重リングやバネなどで連結するため、簡単且つ安価に作成することが出来ないという問題がある。
　そこで、本考案は、係る問題点を解決すべく、簡単に作成できる連発式輪ゴム銃の提供を目的とするものである。
【課題を解決するための手段】
【０００４】
　銃身部、フレーム部、グリップ部、引き金部からなる連発式輪ゴム銃であって、フレーム部は銃身部をグリップ部に対し直線状に連結させると共に、その長さ方向の一定範囲をスリット溝に形成し、該溝内を引き金部の上端が後退移動させられるものとなすほか、上縁部の適当間隔に輪ゴム係止用の切り込み溝が並設させたものとなさしめる。このさい、引き金部は細巾板体の上端を、その後退移動側が低くなる傾斜面に形成させるものであり、また引き金部の後退移動には弧状が形成されたりする。
【考案の効果】
【０００５】
　本考案は以上の通り構成するものであって、木材や竹材、そして輪ゴムなど身近にあるものを使用して簡単に作成することが出来るものとなり安価である。
また輪ゴム弾をほぼ水平に装着することが出来るので、その飛距離も遠くまで、しかも適確に到達させて楽しめるものとなる。
【考案を実施するための最良の形態】
【０００６】
　以下、図面に示す実施の形態について説明する。
　図１は本考案に係る連発式輪ゴム銃の側面図で、図２は図１の平面図で、図３は図１の分解斜視図である。本考案に係る連発式輪ゴム銃１は、銃身部２、フレーム部３、グリップ部４、引き金部５からなり、木材、竹材などを使用して銃身部２、フレーム部３、グリップ部４の上辺がほぼ直線状に形成されるようにする。
【０００７】
　銃身部２の先端部の輪ゴム弾掛け部６には、輪ゴム弾を掛けるための凹部に形成されている。フレーム部３は１対のフレーム部材７からなり、該フレーム部材７の先端部７ａが銃身３の後端部３ａを挟み、フレーム部材７の後端部７ｂは小片８を挟んで接着剤で固定されるのであり、且つフレーム部３内には、後述する引き金が後退移動するスリット溝ｓが形成されている。そして、フレーム部材７の上縁部には適当間隔に数個の輪ゴム係止用の切り込み溝９が並設させてある。ここに切り込み溝の深さは後退移動側へ少しずつ深く形成されるようになしてある。
【０００８】
　グリップ部４は１対のグリップ部材１０からなり、該１対のグリップ部材１０の上端部に上記フレーム部３の後端部７ｂを挟み込んで止着させるようになしてあり、止着には接着剤等の使用で行われる。
【０００９】
　引き金部５は細巾板体に形成した引き金１１とこれを銃身部２へ支承させる１対の引き金支持部材１２及び２つの輪ゴム１３，１３’とからなる。即ち、１対の引き金支持部材１２の一端１２ａは、銃身部２の後端箇所にこれを挟んで回動自在に取り付けられており、且つ該１対の引き金支持部材の他端１２ｂは引き金１１の一端１１ａを挟むと共に、該部を支軸として回動自在に取り付けられている。
【００１０】
　而して、引き金１１の細巾板体上端１１ｂは、フレーム部３のスリット溝ｓ内を後退移動させて切り込み部９に係止させてなる輪ゴム弾をはじかせるように外すのであり、上記作用を容易ならしめるべくその上端は後退移動側が低くなる傾斜面１５（図３参照）を形成したものとなしてある。ここに、１７は引き金１１の前方移動を制限するためのストッパーピンであり、また１４は取付けられた引き金１１の上端１１ｂがスリット溝ｓから必要以上に突出しないよう制限するためのストッパーピンである。
【００１１】
　他方、１３及び１３’は引き金支持部材１２、及び引き金１１の相互が弾撥的に保持されるようになすための輪ゴムであって、１６と１６及び１６’と１６’が夫々れ対応して係止されるものとなる。一般の輪ゴム１３の使用では３重にして係止させるようにすると良い。これにより、引き金１１がフレーム部３内のスリット溝ｓ内を後退移動可能に取り付けられ、引き金１１を引かない時は引き金１１が銃身部２側へ自動的に戻るものとなされる。この際、引き金１１がフレームの前方へ行きすぎないようにフレーム部３のスリット溝ｓ内にストッパー１７が設けてある。
【００１２】
　上記の使用で引き金１１の指掛け部１８及びその反対側部分１９は、図示例の如く削っておくと良い。これにより、指をかけやすく、引き金１１を引いた際グリップ部４を握った指にあたらないようにすることができる。
【００１３】
　図４は、連発させる輪ゴム弾２０を掛けた状態の説明図である。輪ゴム弾２０は銃身部３先端の輪ゴム弾掛け部６からフレーム部３の各切り込み溝９間に掛けるのであり、このさい、輪ゴム弾２０は先端から遠い位置にある切り込み溝の順に掛けるのである。このようにすると各輪ゴム弾が先端から近い方が上になって重なるのであり、従ってこの状態で、引き金を引くと、先端から近い順に輪ゴム弾が弾かれていき、重なり合いも何ら関係ない状態にして円滑に飛ばすことが出来るものとなる。
【図面の簡単な説明】
【００１４】
【図１】本考案に係る連発式輪ゴム銃の側面図である。
【図２】図１の平面図である。
【図３】図１の分解斜視図である。
【図４】輪ゴム弾を掛けた状態の説明図である。
【符号の説明】
【００１５】
　１　　連発式輪ゴム銃
　２　　銃身部
　３　　フレーム部
　４　　グリップ部
　５　　引き金部
　６　　輪ゴム弾掛け部
　７　　フレーム部材
　８　　小片
　９　　切り込み溝
　１０　グリップ部材
　１１　引き金
　１２　引き金支持部材
　１３，１３’　輪ゴム
　１４　ストッパーピン
　１５　輪ゴム弾を弾く部分
　１６　輪ゴム掛け部
　１７　ストッパーピン
　１８　指掛け部
　１９　指掛け部の反対側部分
　２０　輪ゴム弾
【図１】
0003100307.tif 000003
【図２】
0003100307.tif 000004
【図３】
0003100307.tif 000005
【図４】
0003100307.tif 000006